(57)【要約】【課題】嘔吐物を嘔吐袋に収容する際、臭い、扱いにくい等、難行であった。そこで、嘔吐物固化剤を嘔吐袋中に投入して使用すると、嘔吐物固化剤が誤飲、誤食される恐れがあった。また、嘔吐者が嘔吐時に固化剤が舞い上がって吸引する危険があった。これらの問題点を解決して嘔吐物を安全、簡単、迅速に固定、収容する手段を提供する。【解決手段】嘔吐物固化剤を加圧成形することで成形嘔吐物固化剤とし、該成形嘔吐物固化剤は嘔吐物量に応じて防水性を備えた嘔吐袋底部に接着剤を用いて固定する。成形嘔吐物固化剤は嘔吐袋底部に固定されているので誤飲、誤食が無く、嘔吐者が嘔吐袋開口部から嘔吐物を吐入しても嘔吐物固化剤が舞い上がって吸引することもない。成形嘔吐物固化剤に嘔吐物が接触すると素早く嘔吐物の液分を吸収、固化し、ウィルスや細菌を封じ込めて安全、簡単、迅速に固定、収容できる態様で課題を解決させる。【選択図】図３
0003138055.tif 000002
【実用新案登録請求の範囲】
【請求項１】
嘔吐物の液分を固化する手段を備えた事を特徴とする嘔吐袋
【請求項２】
前記嘔吐物の液分を固化する手段が袋の底部に保持されている事を特徴とする請求項１記載の嘔吐袋
【請求項３】
前記嘔吐物の液分を固化する手段が粉体を加圧して固めた成形物で、該加圧成形物が袋の底部に保持される構成になっている事を特徴とする請求項１及び２記載の嘔吐袋
【考案の詳細な説明】
【技術分野】
【０００１】  本考案は体調不良によって起こる嘔吐物を収容する際の嘔吐袋に関し、嘔吐物の固化剤が誤飲、誤食されるのを防ぎ、かつ嘔吐物の液分を固化、収容するのに迅速な処理が可能で、収容した嘔吐物の取り扱いが容易で、併せて嘔吐物中のウィルスや細菌からの感染を予防する手段を保持した嘔吐袋に関する。
【背景技術】
【０００２】  従来、嘔吐が発生する環境ではポリエチレン袋や紙にポリエチレンをラミネートした袋中に嘔吐物を吐く事で嘔吐物を収容している。ところが、この方法では嘔吐袋中の嘔吐物が液状或いは泥状に存在するため、嘔吐物の臭気や漏れ等が発生して取り扱いが厄介であった。またウィルスや細菌に感染した感染者の嘔吐物で汚染された環境では、厳重な取り扱いが必要であるが、感染物であるか否か不明の場合が多々あるため、嘔吐物を少しでも短時間で安全に収容作業が完了できる手段の提供が望まれていた。
【考案の開示】
【考案が解決しようとする課題】
【０００３】  本考案は嘔吐物を嘔吐袋に収容する際、嘔吐物固化剤が誤飲、誤食されるのを防ぎ、かつ嘔吐時に固化剤が舞い上がるのを防止する手段を有し、嘔吐物の液分を迅速に吸収、固形化して安全で短時間に収容作業を完了できる手段の提供にある。
【課題を解決するための手段】
【０００４】  上記の課題を解決すべく本考案者らは鋭意検討した結果、上記の課題は次のような手段によって解決できる事がわかった。
即ち、嘔吐物の固化剤を加圧成形することによって粉体を成形体として扱うことが可能となった。この成形嘔吐物固化剤を嘔吐袋の底部に固定することによって、誤飲、誤食を防ぎ、嘔吐時に粉体が飛散するのを防止し、嘔吐物と嘔吐物固化剤の接触を確実に行い、不定形状の嘔吐物を定形状物として扱う態様である。
【考案の効果】
【０００５】  本考案の嘔吐物の液分を吸収、固化する成形嘔吐物固化剤を嘔叶袋の底部に固定することで、嘔吐物固化剤の誤飲、誤食を防止し、嘔吐時に嘔吐物固化剤が飛散する事が無いので嘔吐者が嘔吐物固化剤を吸引することを防止する。また、成形嘔吐物固化剤は液分を吸収、固化する能力が高いので迅速に液状、泥状の嘔吐物を定形状物として扱うことが可能である。このことによりウィルスや細菌を素早く封じ込めることが出来、飛散による感染を予防するなど安全性の向上と作業時間の短縮を提供することが可能となった。
【考案を実施するための最良の形態】
【０００６】  本考案の嘔吐袋を使って嘔吐物の液分を吸収、固化する場合において、図２の嘔吐袋３の嘔吐袋底部３−１に成形嘔吐物固化剤１を接着剤２を用いて固定させる。嘔吐物は嘔吐袋開口部３−２から吐入され、嘔吐袋底部３−１に固定された成形嘔吐物固化剤２に触れることで液状、泥状物だった嘔吐物が固形状物となる。この時、嘔吐物や嘔吐物中のウィルスや細菌は固形状物中に素早く閉じこめられるので、嘔吐袋３を通過して外に出にくい態様である。
【実施例】
【０００７】  以下、本考案を図面を用いて詳細に説明する。
図１は成形嘔吐物固化剤に接着剤を保持した見取り図で、図３は本考案の成形嘔吐物固化剤を接着剤を用いて嘔吐袋に固定した見取り図である。１は成形嘔吐物固化剤で３は嘔吐袋である。成形嘔吐物固化剤１は嘔吐袋底部３−１に接着剤２で固定する。嘔吐袋底部３−１に成形嘔吐物固化剤１が固定されることで嘔吐物固化剤が誤飲、誤食されるのを防ぎ、嘔吐袋開口部３−２に口を入れて嘔吐する際、嘔吐物固化剤を飛散吸引することがない。嘔吐袋３は嘔吐物や嘔吐物中のウィルスや細菌が通過するのを防ぐ材質、構造である。本考案の嘔吐物の液分を吸収、固化する嘔吐袋は取り扱いが簡単で、迅速、安全、確実に嘔吐物を収容することができる態様となっている。【０００８】  図２の本考案の嘔吐袋の材質と寸法について以下に説明する。
成形嘔吐物固化剤１の材質はアクリル酸重合体部分ナトリウム塩架橋物、イソプロピルアクリルアミド、ケイ酸アルミニウム、珪藻土、セルロース等を混合し、加圧成形にて固形物として得られる。成形嘔吐物固化剤１の嘔吐袋３への投入量は成人と小児では嘔吐物量に違いがあるが、５ｇ〜２０ｇが適量で、形状は嘔吐袋３に接着する面が平らであればどんな形でも良い。接着剤２はアクリル系粘着剤、合成ゴム系粘着剤等が好ましい態様である。嘔吐袋３は嘔吐時に必要な嘔吐袋開口部３−２の口径を確保するのに横幅９ｃｍ〜１５ｃｍ、嘔吐物を収容する容積を確保するために縦幅１２ｃｍ〜２５ｃｍで、嘔吐袋３の材質は嘔吐物やウィルスや細菌を嘔吐袋外に出さない為にポリエチレン、紙にポリエチレン、アルミニウム箔にポリエチレンをラミネートしたもの等が好ましい態様である。【０００９】  図１は嘔吐物の液分を吸収、固化する成形嘔吐物固化剤に接着剤を保持した状態であり、粉体を固形化した嘔吐物固化剤は安全、簡単、確実に処理を行なう態様である。【００１０】  図２、図３は前記図１の嘔吐物の液分を吸収、固化する成形嘔吐物固化剤を嘔吐袋の底部に接着剤を用いて固定する。このことで老齢者や小児等が誤って飲んだり、食べたりする危険を予防できる。また、嘔吐時は嘔吐袋開口部から嘔吐物を吐入するが、この時、成形嘔吐物固化剤は粉体として舞い上がることがなく嘔吐者が吸引することがない。嘔吐物は嘔吐袋底部で成形嘔吐物固化剤に接触すると、液状や泥状だった対象物が短時間で固形状物となり、ウィルスや細菌もこの中に封じ込める態様である。
【産業上の利用可能性】
【００１１】  嘔吐物の収容、処理を迅速、簡便に行なえることは勿論、嘔吐物固化剤の誤飲、誤食を防ぎ、使用時に固化剤を吸引することがない。また、ウィルスや細菌に感染した感染者の嘔吐物を簡単迅速に固化、封じ込めを行なうため処理する人の安全と取り巻く環境の安全性が高まった。
【図面の簡単な説明】
【００１２】
【図１】成形嘔吐物固化剤に接着剤を保持した見取り図
【図２】嘔吐袋の断面図
【図３】嘔吐袋の透視図
【符号の説明】
【００１３】    １：成形嘔吐物固化剤
２：接着剤
３：嘔吐袋
３−１：嘔吐袋底部
３−２：嘔吐袋開口部
【図１】
0003138055.tif 000003
【図２】
0003138055.tif 000004
【図３】
0003138055.tif 000005